(57)【特許請求の範囲】
【請求項１】
長さ方向の適所に膨らみを備えた所定の長さのサイズ調整片をリング内周面に備えており、左右一対の軸をリング内周面に取り付け、サイズ調整片の側面に設けたガイド溝内に軸をスライド自在にはめ込むことにより、この軸を中心としてサイズ調整片を回動可能とするとともに、回動にともなってサイズ調整片をリング内周面に沿って保持する無調整モードと、サイズ調整片を膨らみがリング内周面から張り出した状態で保持する調整モードとに変更することができ、なおかつ無調整モードと調整モードとにおいてサイズ調整片のリング内周面における保持位置をほぼ同じ範囲とすることができるようにしたことを特徴とする指輪。
【請求項２】
長さ方向の適所に膨らみを備えた所定の長さのサイズ調整片をリング内周面に備えており、左右一対の軸をサイズ調整片の一端に取り付け、リング内周面に設けたガイド溝内に軸をスライド自在にはめ込むことにより、この軸を中心としてサイズ調整片を回動可能とするとともに、回動にともなってサイズ調整片をリング内周面に沿って保持する無調整モードと、サイズ調整片を膨らみがリング内周面から張り出した状態で保持する調整モードとに変更することができ、なおかつ無調整モードと調整モードとにおいてサイズ調整片のリング内周面における保持位置をほぼ同じ範囲とすることができるようにしたことを特徴とする指輪。
【請求項３】
長さ方向の適所に膨らみを備えた所定の長さのサイズ調整片をリング内周面に備えており、軸をリング内周面に取り付け、サイズ調整片を貫通して設けたガイド溝（貫通孔）内に軸をスライド自在にはめ込むことにより、この軸を中心としてサイズ調整片を回動可能とするとともに、回動にともなってサイズ調整片をリング内周面に沿って保持する無調整モードと、サイズ調整片を膨らみがリング内周面から張り出した状態で保持する調整モードとに変更することができ、なおかつ無調整モードと調整モードとにおいてサイズ調整片のリング内周面における保持位置をほぼ同じ範囲とすることができるようにしたことを特徴とする指輪。
【発明の詳細な説明】
【０００１】
【発明の属する技術分野】
この発明はサイズの調整が可能な指輪に関するものである。
【０００２】
【従来の技術】
従来、この種のサイズの調整が可能な、あるいは回り止めの機能を備えた指輪としては、例えば（１）実開昭６０−２０８１８号、実開昭６１−１８０１２号公報、実開昭６１−１２１１１９号公報、実開昭６２−１６４８１６号、実開平２−１０９４１５号公報等に記載されたような、スライド部分を備えてリングの径を調節できるようにしたものがある。
（２）また実開昭６３−１２４８０７号公報等に記載されたような、時計バンドに類似した装飾バンド部を備え、細かいサイズ修正が簡単にできるようにしたものも知られている。
（３）さらに、特開昭６０−１８１０５号公報、特開平１−３４３０１号公報、実開昭５７−８５２１６号、実開昭５９−２１１４０５号、実開昭６２−１７７３０９号、実開昭６２−１５５６１０号、実開平５−９３１４号等に記載され、図８に示したような、リング部分１１の内周面に沿った曲面に形成されたサイズ調整片１２を備えてリングの径を調節できるようにしたものが開発されている。
【０００３】
【発明が解決しようとする課題】
しかしながら上記従来例にはそれぞれ次のような欠点があった。
【０００４】
（Ａ）スライド部分を備えてリングの径を調節できるようにしたものは、指輪のような小さい構造物にしては組み込む構造が複雑で、所定のサイズに保持しにくいという欠点があった。
【０００５】
また、（Ｂ）の時計バンドに類似した装飾バンド部を備えたものにおいては、やはり指輪のような小さいサイズのものにおいては構造が複雑となり過ぎ、また装飾バンドの連結部分が汚れやすく、またデザイン的にも目だってしまって全体としての装飾性が損なわれるという問題があった。
【０００６】
さらに、（Ｃ）リング内周面に沿った曲面に形成されたサイズ調整片を備えてリングの径を調節できるようにしたものにおいては、着脱操作が面倒で紛失しやすく、しかも指に挿入する前に取り付ければ指輪を指に挿入する操作の邪魔になり、また指に挿入した後に取り付ければ指輪に取り付ける操作が面倒になるという欠点があった。
【０００７】
そのため発明者は先に実用新案登録番号第３０１５５０７号に記載され、図９に示すような、リング２２と台２３とで指輪本体２１を構成し、リング２２内周面に沿った曲面に形成するとともに、その一端をリング２２内周に回転軸２５で軸着した弾性を有するサイズ調整片２４を備え、このサイズ調整片２４をリング２２内周面に設けた溝２６に沿って保持したときには通常のリングサイズで使用し、反転してリング２２内周面より張り出した状態で保持したときには通常のリングサイズ以下のサイズで使用するようにした指輪を発明した。
【０００８】
ところがこの発明の指輪においても、サイズ調整片２４の末端が軸着等によってリング内周面に保持されていないためにぐらついたりする等の不具合が生じやすく、しかもサイズ調整片２４を所定の位置に保持することが困難で扱いにくいという欠点があった。
【０００９】
この発明の指輪は従来例の上記欠点を解消したもので、サイズ調整片を所定の位置に保持する機構が簡単で、また全体として一体感が出しやすいのですぐれた装飾性を備え、しかも使用時にぐらついたりすることのない、商品価値において非常に優れた指輪を提供しようとするものである。
【００１０】
【課題を解決するための手段】
すなわちこの発明の指輪は、長さ方向の適所に膨らみを備えた所定の長さのサイズ調整片をリング内周面に備えており、左右一対の軸をリング内周面に取り付け、サイズ調整片の側面に設けたガイド溝内に軸をスライド自在にはめ込むことにより、この軸を中心としてサイズ調整片を回動可能とするとともに、回動にともなってサイズ調整片をリング内周面に沿って保持する無調整モードと、サイズ調整片を膨らみがリング内周面から張り出した状態で保持する調整モードとに変更することができ、なおかつ無調整モードと調整モードとにおいてサイズ調整片のリング内周面における保持位置をほぼ同じ範囲とすることができるようにしたことを特徴とするものである。
【００１１】
またこの発明の指輪は、長さ方向の適所に膨らみを備えた所定の長さのサイズ調整片をリング内周面に備えており、左右一対の軸をサイズ調整片の一端に取り付け、リング内周面に設けたガイド溝内に軸をスライド自在にはめ込むことにより、この軸を中心としてサイズ調整片を回動可能とするとともに、回動にともなってサイズ調整片をリング内周面に沿って保持する無調整モードと、サイズ調整片を膨らみがリング内周面から張り出した状態で保持する調整モードとに変更することができ、なおかつ無調整モードと調整モードとにおいてサイズ調整片のリング内周面における保持位置をほぼ同じ範囲とすることができるようにしたことをも特徴とするものである。
【００１２】
さらにこの発明の指輪は、長さ方向の適所に膨らみを備えた所定の長さのサイズ調整片をリング内周面に備えており、軸をリング内周面に取り付け、サイズ調整片を貫通して設けたガイド溝（貫通孔）内に軸をスライド自在にはめ込むことにより、この軸を中心としてサイズ調整片を回動可能とするとともに、回動にともなってサイズ調整片をリング内周面に沿って保持する無調整モードと、サイズ調整片を膨らみがリング内周面から張り出した状態で保持する調整モードとに変更することができ、なおかつ無調整モードと調整モードとにおいてサイズ調整片のリング内周面における保持位置をほぼ同じ範囲とすることができるようにしたことを特徴とするものである。
【００１３】
この発明の指輪は以上のように構成したので、サイズ調整片を所定の位置に保持する機構が簡単で、また全体として一体感が出しやすいのですぐれた装飾性を備え、しかも使用時に外れることのない、商品価値において非常に優れた指輪を提供することが可能となった。
【００１４】
またサイズを変化させる幅が大きく、指の関節の部分とそれ以外の部分との差がはなはだしい場合でも簡単に対応させることができ、そのような指への装着あるいは抜き取りが容易に行なえるようになった。
【００１５】
さらにサイズ調整片を落とし込むガイド溝が、サイズ調整片を回動させることによって開放状態で使用されることがなく、常にサイズ調整片を装着した状態で使用されるので、リング内周面の汚れがガイド溝内に付着して黒ずんだりすることがなく、清潔感のある状態で指輪を使用することができるようになった。
【００１６】
【発明の実施の形態】
以下、この発明の指輪の実施の形態を図面に基づいて詳細に説明する。
【００１７】
図１ないし図３はこの発明の指輪の参考例を示すもので、１はリング部分２と台３とを備え、爪止め５等によって宝石４を台３に取り付けた構造の指輪本体である。上記指輪本体１のリング内周面には弾性を有するサイズ調整片６が取り付けてある。このサイズ調整片６は、基本的には長さ方向に沿って円弧状断面に形成された板状体であり、このサイズ調整片６はリング内周面に形成した凹溝７内に落とし込むように収納されている。
【００１８】
上記サイズ調整片６の素材としては、熱処理等によって弾性を付与した金属板のみならず、高機能プラスチック、同じ用途を持つゴム、硬質ゴム等の素材も使用可能である。この場合、ゴムや硬質ゴム等の素材においてはブロック体であることもできる。
【００１９】
図１の常態においてこのサイズ調整片６はリング内周面に形成した凹溝７内に収容され、リング内周面に埋没して外観上も機能上も何ら指輪に影響を与えない無調整モードに保持されるようになっている。
【００２０】
他方このサイズ調整片６は、図２のようにリング内周面より円弧状に張り出した状態とすることもできる。そしてこのようにリング内周面より円弧状に張り出した状態で保持することにより、多少の指のサイズの大小や変化にかかわらず、ぴったりフィットさせた状態で使用することが可能な調整モードに保持することができる。
【００２１】
すなわちこの参考例の指輪の使用に際しては、リング内周面より円弧状に張り出したサイズ調整片６の弾性に抗して指をリング内に押し込むことにより、多少の指のサイズの大小や変化にかかわらず、ぴったりフィットさせた状態で使用することができる。
【００２２】
したがって利用者は、例えば指の関節の部分がその他の部分に比較して太い場合でも、指をサイズ調整片６の弾性に抗して押し込めば、サイズ調整片６がその弾性でリング内周面に沿うよう後退して簡単に指に装着することができ、しかも装着後にサイズ調整片６がもとの位置に復帰して指に確実に接触するので使用感が良好であり、また使用中に指輪が指の周りを回転することもない。
【００２３】
図４はこの発明の指輪の１実施例を示すものである。この例ではサイズ調整片６は、リング内周面に台座１０部分をビス止めすること等によって取り付けた左右一対の軸８−１に取り付けられている。そしてこのサイズ調整片６の側面に設けたガイド溝９−１内に軸８−１をスライド自在にはめ込むことにより、サイズ調整片６をリング内周面に沿って保持する無調整モードと、サイズ調整片６をリング内周面から張り出した状態で保持する調整モードとに変更することができる。
【００２４】
図５の実施例においては、左右一対の軸８−２はサイズ調整片６の一端に取り付けられている。そしてリング内周面の凹溝７の側壁に設けたガイド溝９−２内に軸８−２をスライド自在にはめ込んで、サイズ調整片６をリング内周面に沿って保持する無調整モードと、サイズ調整片６をリング内周面から張り出した状態で保持する調整モードとに変更することができる。
【００２５】
図６の実施例においては、軸８−３はリング内周面の凹溝７の側壁間に差し渡すように取り付けられ、固定されている。そしてサイズ調整片６を貫通して設けたガイド溝（貫通孔）９−３内に軸８−３をスライド自在にはめ込んで、サイズ調整片６をリング内周面に沿って保持する無調整モードと、サイズ調整片６をリング内周面から張り出した状態で保持する調整モードとに変更することができる。
【００２６】
この例における軸８−３は筒状本体１０１と、その両側に筒状本体１０１内を進退できるよう保持されたピン１０２，１０３と、常態ではピン１０２，１０３を突き出す方向に付勢するバネ１０４とで構成されている。したがってピン１０２，１０３を筒状本体１０１内に押し込みながら、軸８−３は簡単にリング内周面の凹溝７の側壁間に差し渡すことができる。
【００２７】
図７に上記各実施例におけるモード変更の操作を示す。常態においてこのサイズ調整片６はリング内周面に形成した凹溝７内に収容され、リング内周面に埋没して外観上も機能上も何ら指輪に影響を与えない無調整モードに保持されている。そして先ず、軸８とガイド溝９とを相対的に移動させてサイズ調整片６を矢印２０１方向にスライドさせるようにして引き出す。次いで、軸８を回転中心としてサイズ調整片６を矢印２０２方向に回転させることにより、サイズ調整片６をリング内周面から張り出した状態で保持する調整モードへの変更が完了する。
【００２８】
この調整モードでもサイズ調整片６のリング内周面における位置も、サイズ調整片６をリング内周面に沿って保持する無調整モードでの位置とまったく同じである。
【００２９】
なお、図４および図６の実施例と図５の実施例とでは、無調整モードと調整モードとの間で軸８の位置が変化するが、サイズ調整片６の動きそのものは基本的に同じである。
【００３０】
【発明の効果】
この発明の指輪は以上のように構成したので、サイズ調整片を所定の位置に保持する機構が簡単で、また全体として一体感が出しやすいのですぐれた装飾性を備え、しかも使用時に外れることのない、商品価値において非常に優れた指輪を提供することが可能となった。
【００３１】
またサイズを変化させる幅が大きく、指の関節の部分とそれ以外の部分との差がはなはだしい場合でも簡単に対応させることができ、そのような指への装着あるいは抜き取りが容易に行なえるようになった。
【００３２】
さらにサイズ調整片を落とし込むガイド溝が、サイズ調整片を回動させることによって開放状態で使用されることがなく、常にサイズ調整片を装着した状態で使用されるので、リング内周面の汚れがガイド溝内に付着して黒ずんだりすることがなく、清潔感のある状態で指輪を使用することができるようになった。
【図面の簡単な説明】
【図１】この発明の指輪の参考例を示し、無調整モードの正面図である。
【図２】調整モードの正面図である。
【図３】図１のＡ−Ａ断面図である。
【図４】サイズ調整片の例を示す拡大斜視図である。
【図５】サイズ調整片の例を示す拡大斜視図である。
【図６】サイズ調整片の例を示す拡大斜視図である。
【図７】上記各実施例におけるモード変更の操作を示す要部概略図である。
【図８】第１の従来例を示す正面図である。
【図９】第２の従来例を示す正面図である。
【符号の説明】
１ 指輪本体
２ リング部分
３ 台
４ 宝石
５ 爪止め
６ サイズ調整片
７ 凹溝
８−１，８−２，８−３ 軸
９−１，９−２，９−３ ガイド溝
１１ リング部分
１２ サイズ調整片
２１ 指輪本体
２２ リング
２３ 台
２４ サイズ調整片
２５ 回転軸
２６ 溝
１０１ 筒状本体
１０２，１０３ ピン
１０４ バネ
２０１ 矢印
２０２ 矢印
【図１】
0004114229.tif 000002
【図２】
0004114229.tif 000003
【図３】
0004114229.tif 000004
【図４】
0004114229.tif 000005
【図５】
0004114229.tif 000006
【図６】
0004114229.tif 000007
【図７】
0004114229.tif 000008
【図８】
0004114229.tif 000009
【図９】
0004114229.tif 000010